(57)【要約】  【課題】  ビデオカメラ装置の設定状態をより容易に確認することができるようにする。  【解決手段】  ＵＩ７１のステータスチェックキーが押圧されると、ＯＳＤ部４１がＣＰＵ５０の制御に基づき、ビデオカメラ装置１の各種設定状態を示すステータス表示画面を表示するための画面信号を生成し、ベースバンド信号処理回路１４を介して表示パネル３４に供給する。液晶パネル３４は供給された画像信号に基づきステータスチェック画面を表示する。ＵＩ７１のジョグダイヤルを回転させると、ＯＳＤ部４１がＣＰＵ５０の制御に基づき、次のステータス表示画面を表示するための画面信号を生成し、ベースバンド信号処理回路１４を介して表示パネル３４に供給する。液晶パネル３４は供給された画像信号に基づき次のステータスチェック画面を表示する。【選択図】  図３
2006080634.tif 000002
【特許請求の範囲】
【請求項１】
被写体を撮影し、映像データを出力する撮影手段と、
音声データを取得する音声取得手段と、
情報を表示する表示手段と、
上記撮影手段の各種設定状態を示すステータス表示および上記音声取得手段により取得された音声のレベルを示すステータス表示を含む複数のステータス表示を、上記複数のステータス表示単位毎に切り替え可能に上記表示手段に表示する表示制御手段と、
上記表示手段に上記ステータス表示を表示させるようにユーザが指示するための表示指示手段と
を備えることを特徴とするビデオカメラ装置。
【請求項２】
上記表示制御手段は、上記ステータス表示を上記表示手段に一度に表示可能な情報を単位として複数に分割して切り替え可能に表示することを特徴とする請求項１記載のビデオカメラ装置。
【請求項３】
回転および押圧可能に構成された操作手段をさらに備え、
上記表示制御手段は、上記操作手段の回転および／または押圧に応じて上記ステータス表示を上記複数のステータス表示単位毎に切り替えることを特徴とする請求項１記載のビデオカメラ装置。
【請求項４】
上記表示制御手段は、電源モードに応じて上記複数のステータス表示を選択的に表示可能とすることを特徴とする請求項１記載のビデオカメラ装置。
【請求項５】
上記表示制御手段は、オーディオおよびピクチャープロファイル等の一部の設定に対しては有効な設定を示すアイコンも表示することを特徴とする請求項１記載のビデオカメラ装置。
【請求項６】
上記表示制御手段は、記録フォーマットに応じてステータス表示の表示内容を変更することを特徴とする請求項１記載のビデオカメラ装置。
【請求項７】
情報を記憶する記憶手段をさらに備え、
上記表示制御手段は、
ステータス表示を終了したとき、終了の際に表示されていたステータス表示に関する表示情報を上記記憶手段に記憶し、
ステータス表示を再度表示したとき、上記記憶手段に記憶された上記表示情報に基づきステータス表示を行うことを特徴とする請求項１記載のビデオカメラ装置。
【請求項８】
上記表示指示手段が、ハードキーであることを特徴とする請求項１記載のビデオカメラ装置。
【請求項９】
被写体を撮影し、映像データを出力する撮影手段と、
情報を表示する表示手段と、
少なくとも上記撮影手段に対する設定項目を表示する複数のメニューを上記表示手段に切り替え可能に表示する表示制御手段と、
上記表示制御手段に対して選択操作を指示する操作手段と
を備え、
上記表示制御手段は、上記メニュー内にて選択されている情報には選択情報表示部を表示し、上記選択情報表示部のループ動作をメニューまたは上記メニュー内に表示される階層に応じて制御することを特徴とするビデオカメラ装置。
【請求項１０】
上記複数のメニューは、少なくとも上記撮影手段の状態を設定する第１のメニューと、少なくともユーザにより設定された撮影手段の状態を表示する第２のメニューとを備え、
上記表示制御手段は、上記第１のメニューを上記表示手段に表示している場合には、上記選択表示部のループ動作を可能とし、
上記表示制御手段は、上記第２のメニューを上記表示手段に表示している場合には、上記選択表示部のループ動作を禁止するように制御することを特徴とする請求項９記載のビデオカメラ装置。
【請求項１１】
上記表示制御手段は、上記操作手段によりループ動作が選択されたメニューまたは階層では、上記選択表示部のループ動作を可能とすることを特徴とする請求項９記載のビデオカメラ装置。
【請求項１２】
上記表示制御手段は、アプリケーション毎に上記操作手段によりループ動作が選択されたメニューまたは階層では、上記選択表示部のループ動作を可能とすることを特徴とする請求項９記載のビデオカメラ装置。
【請求項１３】
上記メニューは、
情報を一覧表示する情報表示部を備え、
上記表示制御手段は、上記情報表示部に情報全体を一度に表示できない場合には、スクロールバーと上記スクロールバーを表示する枠とを表示し、上記情報表示部に表示される情報を上記操作手段の操作に応じてスクロール可能とすることを特徴とする請求項９記載のビデオカメラ装置。
【請求項１４】
上記メニューは、
情報を一覧表示する情報表示部と、
スクロールバーと上記スクロールバーを表示するための枠とを備え、
上記表示制御手段は、
上記情報表示部に情報全体を表示可能である場合には、上記スクロールバーを上記枠全体に広げて表示し、
上記情報表示部に情報全体を表示不可能である場合には、上記スクロールバーを上記枠全体より縮めて表示することを特徴とする請求項９記載のビデオカメラ装置。
【請求項１５】
上記選択情報表示部の経路情報が記憶された記憶手段をさらに有し、
上記表示制御手段は、上記記憶手段に記憶された上記経路情報に基づき上記選択情報表示部を順次表示することを特徴とする請求項９記載のビデオカメラ装置。
【請求項１６】
上記選択情報表示部の経路情報が記憶された外部記憶手段を着脱するための接続手段をさらに有し、
上記表示制御手段は、上記接続手段に接続された上記外部記憶手段に記憶された上記経路情報に基づき上記選択情報表示部を順次表示することを特徴とする請求項９記載のビデオカメラ装置。
【請求項１７】
情報を記憶する記憶手段をさらに備え、
上記表示制御手段は、
上記選択情報表示部の移動パターンを学習し、上記学習結果を上記記憶手段に記憶し、
上記記憶手段に記憶された上記学習の結果に基づいて上記情報表示部を表示することを特徴とする請求項９記載のビデオカメラ装置。
【請求項１８】
情報を記憶する外部記憶手段を接続するための接続手段をさらに備え、
上記表示制御手段は、
上記選択情報表示部の移動パターンを学習し、上記学習結果を上記外部記憶手段に記憶し、
上記外部記憶手段に記憶された上記学習の結果に基づいて上記情報表示部を表示することを特徴とする請求項９記載のビデオカメラ装置。
【請求項１９】
情報を記憶する記憶手段をさらに備え、
上記表示制御手段は、上記選択情報表示部の移動ルールを上記記憶手段に記憶し、記憶された上記移動ルールに基づき上記選択情報表示部を移動することを特徴とする請求項９記載のビデオカメラ装置。
【請求項２０】
情報を記憶する外部記憶手段を着脱するための接続手段をさらに有し、
上記表示制御手段は、上記選択情報表示部の移動ルールを上記記憶手段に記憶し、記憶された上記移動ルールに基づき上記選択情報表示部を移動することを特徴とする請求項９記載のビデオカメラ装置。
【請求項２１】
情報を記憶する記憶手段と、
ユーザにより設定された上記撮影手段に関する設定情報を上記記憶手段に記憶し、上記操作手段の操作に応じて、上記記憶手段から上記設定情報を読み出して上記撮影手段の情報を変更するカスタマイズ手段と
をさらに備えることを特徴とする請求項９記載のビデオカメラ装置。
【請求項２２】
情報を記憶する外部記憶手段を着脱するための接続手段と、
ユーザにより設定された上記撮影手段に関する設定情報を上記接続手段に接続された外部記憶手段に記憶し、上記操作手段の操作に応じて、上記外部記憶手段から上記設定情報を読み出して上記撮影手段の情報を変更するカスタマイズ手段と
をさらに備えることを特徴とする請求項９記載のビデオカメラ装置。
【発明の詳細な説明】
【技術分野】
【０００１】
この発明は、表示装置を備えたビデオカメラ装置に関する。
【背景技術】
【０００２】
近年、ビデカメラ装置の多機能化に伴って、多数のスイッチやボタンなどが備えられるようになっている。このような多数のスイッチやボタンはビデオカメラ装置の側面や背面などの限られた狭いスペースに配置されるため、撮影中に誤ってスイッチやボタンに触れてビデオカメラ装置を誤作動させてしまったり、所望の操作ボタンを見つけるのに時間がかかってしまうなどという問題が生じていた。
【０００３】
そこで、ビューファインダや液晶モニタなどにメニューを表示してビデオカメラ装置の設定を行うことにより、操作性を向上できるビデオカメラ装置が提案されている（例えば特許文献１参照）。
【０００４】
【特許文献１】特開平５−９１３８７号公報
【発明の開示】
【発明が解決しようとする課題】
【０００５】
しかしながら、近年のビデオカメラ装置の更なる多機能化に伴って設定項目も膨大となり、このような膨大な設定項目の中か所望のものを見つけ出して設定する作業はユーザに過度の負担となっている。
【０００６】
また、近年では、オーディオの設定状態、出力の設定状態などのビデオカメラ装置の各設定状態を液晶モニタなどに表示して容易に確認できるようにすることも望まれるようになっている。
【０００７】
したがって、この発明の第１の目的は、装置の各種設定をより容易にすることができるビデオカメラ装置を提供することにある。
【０００８】
また、この発明の第２の目的は、装置の設定状態をより容易に確認することができるビデオカメラ装置を提供することにある。
【課題を解決するための手段】
【０００９】
上述の課題を解決するために、第１の発明は、被写体を撮影し、映像データを出力する撮影手段と、
音声データを取得する音声取得手段と、
情報を表示する表示手段と、
撮影手段の各種設定状態を示すステータス表示および音声取得手段により取得された音声のレベルを示すステータス表示を含む複数のステータス表示を、複数のステータス表示単位毎に切り替え可能に表示手段に表示する表示制御手段と、
表示手段にステータス表示を表示させるようにユーザが指示するための表示指示手段と
を備えることを特徴とするビデオカメラ装置である。
【００１０】
第２の発明は、被写体を撮影し、映像データを出力する撮影手段と、
情報を表示する表示手段と、
少なくとも撮影手段に対する設定項目を表示する複数のメニューを表示手段に切り替え可能に表示する表示制御手段と、
表示制御手段に対して選択操作を指示する操作手段と
を備え、
表示制御手段は、メニュー内にて選択されている情報には選択情報表示部を表示し、選択情報表示部のループ動作をメニューまたはメニュー内に表示される階層に応じて制御することを特徴とするビデオカメラ装置である。
【発明の効果】
【００１１】
以上説明したように、この発明によれば、メニュー内にて選択されている情報には選択情報表示部を表示し、選択情報表示部のループ動作をメニューまたはメニュー内に表示される階層に応じて制御できるので、メニュー内における選択情報表示部の選択動作をより向上することができる。すなわち、装置の各種設定をより容易にすることができる。
【００１２】
また、この発明によれば、撮影手段の各種設定状態を示すステータス表示および音声取得手段により取得された音声のレベルを示すステータス表示を含む複数のステータス表示を、複数のステータス表示単位毎に切り替え可能に表示手段に表示できるので、ビデオカメラ装置の設定状態をより容易に確認することができる。
【発明を実施するための最良の形態】
【００１３】
以下、この発明の実施形態について図面を参照しながら説明する。なお、以下の実施形態の全図においては、同一または対応する部分には同一の符号を付す。
【００１４】
この発明の一実施形態について以下の順序で説明する。
（１）ビデオカメラ装置の構成
（２）ステータスチェック機能
（３）メニュー操作性
（４）カーソル動作のルール
（５）メニューのカスタマイズ機能
【００１５】
（１）ビデオカメラ装置の構成
図１は、この発明の一実施形態によるビデオカメラ装置１の外観図である。図１のビデオカメラ装置１は、レンズフード１５１、表示パネル３４、マイクロフォン１５、マニュアルフォーカスリング１５２、ズームリング１５３、ビューファインダ３７等を含んでいる。レンズフード１５１は、レンズに余計な光が回り込むのを防ぐ役割を持ち、さらに、たとえばレンズキャップを内蔵し、レンズ（図示せず）を保護する。表示パネル３４は、記録画像や再生画像を表示させることができるとともに、タッチパネルとして構成され、指先やスタイラスでパネル表面を押すことによって各種設定が可能な構造になっている。マイクロフォン１５は、動画撮影時等に周囲の音を入力する。
【００１６】
マニュアルフォーカスリング１５２は、これを操作することによって、ユーザが手動で合焦操作（ピント合わせ）を行うことができるようになっている。また、ズームリング１５３を回転させることにより、被写体を拡大等して撮影することができる。ビューファインダ３７には、レンズを介して得られる撮像画像が表示される。こうした撮像画像は、ビューファインダ３７の他に、表示パネル３４にも出力することができるので、ユーザは通常、これらのうちどちらかに表示された画像を参照して被写体を選択し、さらに、ピント合わせやズーム操作等を行う。
【００１７】
また、ビデオカメラ装置１の上部および側部には、多くのボタンやスイッチを備える操作部１５４、操作部１５５が設けられている。ユーザは、これらのボタンやスイッチを操作することによって、ビデオカメラ装置１の記録時や再生時における各種機能の実行・調整等を制御する。
【００１８】
図１の矢印１５６の方向に沿って見たビデオカメラ装置１の部分が図２に示されている。図２の上部には、図１に示されていたビューファインダ３７が示されている。図２に示す部分にも操作部が設けられており、スライドスイッチ１６１、カスタムプリセットキー１６２、Ｐメニューキー１６３、メニューキー１６４、ステータスチェックキー１６５およびジョグダイヤル１６６等が配置されている。スライドスイッチ１６１は、ゼブラ処理やピーキング処理を行うように指示するためのスイッチである。
【００１９】
カスタムプリセットキー１６２は、ビデオカメラ装置１に備えられたＲＡＭなどの内部メモリはたはビデオカメラ装置１に対して着脱可能に構成されたＲＯＭなどの外部メモリにビデオカメラ装置の設定状態を保存するためのキーである。Ｐメニューキー１６３は、パーソナルメニューを表示するためのキーである。メニューキー１６４は、ビデオカメラ装置１の設定などを行うためのメニュー画面を表示するためのキーである。
【００２０】
ステータスチェックキー１６５は、ビデオカメラ装置１の設定状態を確認するためのステータスチェック画面を表示するためのものである。ジョグダイヤル１６６は円柱状を有し、この円柱の軸を回転軸として上下方向に回転可能であるとともに、押圧可能に構成された操作手段である。このジョグダイヤル１６６の上下方向の回転によって、たとえばメニュー項目を選択し、押下によって、その選択された項目の選択を決定することができる。記録媒体挿入口１６７には、所定の可搬型記録媒体が挿入され、ビデオカメラ装置１からの画像データや設定に関するデータ等が記憶される。逆に、可搬型記録媒体内に記憶された各種データは、ビデオカメラ装置１に送信され、所定の記憶手段に記憶される。右側には、バッテリー１６８があり、さらにその右側には電源スイッチ１６９が配置されている。
【００２１】
図３は、この発明の実施の形態に適用可能なビデオカメラ装置１の一例の構成を示す。このビデオカメラ装置１は、撮像素子で撮像されて得られた映像信号を磁気テープに記録し、磁気テープに記録された映像信号を再生することができる。信号フォーマットとしては、ＤＶフォーマットと、ＭＰＥＧ２方式を用いて１２８０画素・７２０ライン（プログレッシブ）で記録するビデオフォーマット（以下、ＨＤ１フォーマット）と、ＭＰＥＧ２方式を用いて１４４０画素・１０８０ライン（インタレース）で記録するビデオフォーマット（以下、ＨＤ２フォーマット）とに対応する。
【００２２】
すなわち、このビデオカメラ装置１は、ＤＶフォーマットおよびＨＤ２フォーマットを１本の磁気テープ上に混在して記録可能である。また、ＤＶフォーマット、ＨＤ１フォーマットおよびＨＤ２フォーマットが混在して記録された磁気テープを再生可能である。
【００２３】
このビデオカメラ装置１において、ＤＶフォーマットでは、カラーシステムが４：１：１、画サイズが７２０画素・４８０ラインで、オーディオ信号に関して、量子化ビット数が１２ビットでサンプリング周波数３２ｋＨｚと、量子化ビット数が１６ビットでサンプリング周波数が４８ｋＨｚとが記録時に選択できる。また、ＨＤ２フォーマットでは、カラーシステムが４：２：０で画サイズが１０８０ｉ（１４４０画素・１０８０ライン、インタレース）、オーディオ信号に関して、量子化ビット数が１６ビット、サンプリング周波数が４８ｋＨｚとされている。
【００２４】
このビデオカメラ装置１は、複数のＣＰＵ(Central Processing Unit)５０、５１、５２および５３を有する。これら複数のＣＰＵが互いに連携して動作することによって、ビデオカメラ装置１の全体が制御される。なお、図示しないが、ＣＰＵ５０、５１、５２および５３は、それぞれＲＡＭ(Random Access Memory)およびＲＯＭ(Read Only Memory)を有し、ＲＯＭに予め記憶されたプログラムに従い動作する。ＲＡＭは、ＣＰＵのワークメモリとして用いられる。
【００２５】
複数のＣＰＵの役割分担として、ＣＰＵ５０は、ユーザインターフェイス７１およびビデオカメラ装置１の全体の制御に関わる。ＣＰＵ５１は、光学系１０を含む撮像処理の制御に関わる。ＣＰＵ５２は、ＭＰＥＧ２のエンコード処理およびデコード処理、ならびに、ＭＰＥＧ２のＰＳ(Program Stream)によるビデオデータおよびオーディオデータの多重化および分離処理に関わる。また、ＣＰＵ５３は、磁気テープの記録再生や、メカの制御に関わり、例えば記録時と再生時のメカモードの遷移や信号処理系の動作モードの切り替えを制御する。
【００２６】
さらに、ＣＰＵ５０に対して、バス６０が接続される。バス６０には、例えばフラッシュメモリといった書き換え可能なＲＯＭ６１と、ＲＡＭとが接続される。また、バス６０には、脱着自在で書き換え可能なＲＯＭ（例えばフラッシュメモリ）６４が装填可能なメモリインターフェイス６３が接続される。
【００２７】
なお、ＣＰＵ５０に対して、ユーザインターフェイス７１が接続される。ユーザインターフェイス７１は、このビデオカメラ装置１に対して各種設定や操作を行うためのスイッチ類や、ビデオカメラ装置１の状態に応じて表示がなされる例えばＬＥＤ(Light Emitting Diode)からなる表示素子が設けられてなる。ユーザは、このユーザインターフェイスを用いて、このビデオカメラ装置１による撮影や撮影された映像信号の記録、記録された映像信号の再生、ビデオカメラ装置１に対する各種設定などの諸操作を行うことができる。
【００２８】
記録時の動作について説明する。ユーザが、このビデオカメラ装置１の動作を記録動作に切り替えるために、ユーザインターフェイス７１を操作する。このとき、ディジタルビデオ信号をＨＤ２フォーマットＤＶおよびＤＶフォーマットの何れで記録するかが指定される。また、ＤＶフォーマットで記録する場合、オーディオ信号のビット解像度が１２ビットおよび１６ビットから選択される。これに限らず、このビデオカメラ装置１において各々のフォーマットに許される、諸モードを選択するようにできる。
【００２９】
ユーザの操作に応じた制御信号がユーザインターフェイス７１からＣＰＵ５０に供給される。ＣＰＵ５０は、この制御信号に応じて、ＣＰＵ５０により操作画面など所定の表示画面を表示させる表示制御信号を生成すると共に、ビデオカメラ装置１の各部に、動作モードが記録モードに切り替えられた旨および記録フォーマットを通知する。ＣＰＵ５３は、この通知を受け、回転ヘッド２７の回転や磁気テープ２８の走行を駆動するメカ機構を記録時の動作に対応する用に切り替えると共に、信号処理系の動作を記録モードに対応するように切り替える。
【００３０】
被写体からの光が光学系１０を介して、撮像素子であるＣＣＤ(Charge Coupled Device)１１に入射される。図３では省略されているが、光学系１０は、フォーカス機構、ズーム機構、絞り機構などを含む。また、この例では、ＣＣＤ１１は、赤色（Ｒ）、緑色（Ｇ）および青色（Ｂ）の三原色の各色にそれぞれ独立したＣＣＤを有する、所謂３板式が用いられている。したがって、ＣＣＤ１１からは、実際には、Ｒ、ＧおよびＢの各色の信号がそれぞれ出力される。
【００３１】
ＣＣＤ１１から出力された撮像信号は、ＣＤＳ(Correlated Double Sampling)・Ａ／Ｄ変換回路１２により、サンプリングされディジタルビデオ信号に変換される。ＣＤＳ・Ａ／Ｄ変換回路１２の出力は、撮像信号処理回路１３に供給される。撮像信号処理回路１３は、供給されたディジタルビデオ信号に対して、ゲイン調整処理、繃処理、ホワイトバランス処理などの所定の映像信号処理を施し、出力する。撮像信号処理回路１３の出力は、ベースバンド信号処理回路１４に供給される。
【００３２】
なお、ＣＤＳ・Ａ／Ｄ変換回路１２および撮像信号処理回路１３は、ＣＰＵ５１により所定に制御される。
【００３３】
音声は、マイクロフォン１５によって集音され、アナログオーディオ信号に変換される。アナログオーディオ信号は、オーディオ信号処理回路１７により、所定に増幅処理や音質補正処理、雑音低減処理などを施される。オーディオ信号処理回路１７から出力されたアナログオーディオ信号は、Ａ／Ｄ変換およびＤ／Ａ変換回路１８に供給される。Ａ／Ｄ変換およびＤ／Ａ変換回路１８は、アナログオーディオ信号の入力に対しては、Ａ／Ｄ変換を施してディジタルオーディオ信号に変換し、ディジタルオーディオ信号の入力に対しては、Ｄ／Ａ変換を施しアナログオーディオ信号に変換する。Ａ／Ｄ変換およびＤ／Ａ変換回路１８から出力されたディジタルオーディオ信号は、ベースバンド信号処理回路１４に供給される。
【００３４】
アナログオーディオ信号は、オーディオ入出力端子１６から入力することもできる。実際には、オーディオ入出力端子１６は、オーディオ入力端子およびオーディオ出力端子がそれぞれ独立してなる。オーディオ入出力端子１６から入力されたアナログオーディオ信号は、オーディオ信号処理回路１７を介してＡ／Ｄ変換およびＤ／Ａ変換回路１８に供給され、ディジタルオーディオ信号に変換され、ベースバンド信号処理回路１４に対して供給される。
【００３５】
なお、このビデオカメラ装置１では、Ａ／Ｄ変換およびＤ／Ａ変換回路１８におけるＡ／Ｄ変換時のビット解像度を１２ビット／サンプル、１６ビット／サンプルといったように、記録のモードやユーザの選択により複数から選択することができる。ディジタルオーディオ信号のビット解像度は、例えばユーザインターフェイス７１に対する操作に応じたＣＰＵ５０からの命令に基づきＣＰＵ５３から渡される制御信号により設定される。
【００３６】
また、オーディオ信号処理回路１７は、マイクロフォン１５の接続の有無、オーディオ入出力端子１６に対する接続の有無を検出することができる。さらに、Ａ／Ｄ変換およびＤ／Ａ変換回路１８は、マイクロフォン１５やオーディオ入出力端子１６から入力されたアナログオーディオ信号をディジタルオーディオ信号に変換する際に、その信号のレベルを検出し、ディジタルデータとして出力することができる。オーディオ信号処理回路１７によるオーディオ入出力端子１６に対する接続の有無の検出結果や、オーディオ信号のレベルデータは、ＣＰＵ５３に渡される。
【００３７】
ベースバンド信号処理回路１４は、供給されたディジタルビデオ信号やディジタルオーディオ信号に対して所定の信号処理を施し、出力する。例えば、ディジタルビデオ信号に対しては、ＨＤ２フォーマットおよびＤＶフォーマットのうち指定されたフォーマットに対応した画サイズ変換処理やカラーシステム変換処理、フィールド処理などが行われる。また、ディジタルビデオ信号を、撮像画像のモニタなどに用いられる表示パネル３４や、ビューファインダ（ＥＶＦ）３７に供給するために、これら表示パネル３４やビューファインダ３７の表示に適するように画サイズ変換や各種処理が施される。
【００３８】
ベースバンド信号処理回路１４から出力されたディジタルビデオ信号およびディジタルオーディオ信号は、ＭＰＥＧ処理部２０およびＤＶ処理部２５に供給される。また、ベースバンド信号処理回路１４から出力されたディジタルビデオ信号は、表示パネル３４およびビューファインダ３７、ならびに、外部出力端子であるＤ４端子３１およびＳＤ端子３９にも導出される。
【００３９】
例えば、ベースバンド信号処理回路１４で表示パネル３４用に所定に処理されたディジタルビデオ信号は、ドライバ３３に供給される。ドライバ３３は、ＣＰＵ５３により制御されるタイミングジェネレータ（ＴＧ）３２から出力されるタイミング信号に基づき、供給されたディジタルビデオ信号を出力し、例えばＬＣＤ(Liquid Crystal Display)からなる表示パネル３４を駆動する。同様に、ベースバンド信号処理回路１４でＥＶＦ３７用に所定に処理されたディジタルビデオ信号は、ドライバ３６に供給され、ＣＰＵ５３により制御されるＴＧ３５から出力されるタイミング信号に基づき、供給されたディジタルビデオ信号を出力し、例えばＬＣＤからなるＥＶＦ３７を駆動する。
【００４０】
また例えば、ベースバンド信号処理回路１４から出力されたディジタルビデオ信号は、ドライバ３０により駆動されてＤ４端子３１に導出される。同様に、ベースバンド信号処理回路１４から出力されたディジタルビデオ信号は、ＳＤ  Ｉ／Ｆ３８に供給され、ＳＤ(Standard Definition)の規格に準ずるフォーマットにマッピングされ、ＳＤ入出力端子３９に導出される。なお、実際には、ＳＤ入出力端子３９は、ＳＤ入力端子およびＳＤ出力端子がそれぞれ独立してなる。
【００４１】
一方、ベースバンド信号処理回路１４から出力されＭＰＥＧ処理部２０に供給されたディジタルビデオ信号は、ＭＰＥＧエンコーダ（ＥＮＣ）２１に入力され、ＭＰＥＧ２方式によりエンコードされる。例えば、先ず動きベクトルを用いた予測符号化により、フレーム間圧縮を行う。このとき、１５フレームで１ＧＯＰを構成するように、１５フレーム毎にＩピクチャを１枚配し、またＰピクチャおよびＢピクチャを所定に配して、フレーム間圧縮を行う。そして、フレーム間圧縮されたディジタルビデオ信号に対して、ＤＣＴ(Discrete Cosine Transform)を用いてフレーム内圧縮を行い、さらに可変長符号を用いて圧縮符号化して出力する。ＭＰＥＧエンコーダ２１から出力された圧縮ディジタルビデオ信号は、ＭＵＸ／ＤＥＭＵＸ２４に供給される。
【００４２】
また、ベースバンド信号処理回路１４から出力されたディジタルオーディオ信号は、オーディオコーデック部２３に供給される。オーディオコーデック部２３は、記録時には入力されたディジタルオーディオ信号に対して圧縮符号化処理を行い、再生時には入力された圧縮ディジタルオーディオ信号に対して復号化処理を行う。オーディオコーデック部２３で、例えばＭＰＥＧ１レイヤ２方式により所定に圧縮符号化された圧縮ディジタルオーディオ信号は、ＭＵＸ／ＤＥＭＵＸ２４に供給される。
【００４３】
ＭＵＸ／ＤＥＭＵＸ２４は、記録時にはマルチプレクサとして機能し、再生時には、デマルチプレクサとして機能する。マルチプレクサとしての機能時には、供給された圧縮ディジタルビデオ信号および圧縮ディジタルオーディオ信号をそれぞれ所定サイズのパケットに分割し、パケット毎に所定にヘッダを付加してＭＰＥＧシステムに規定されるパケッタイズドエレメンタリストリーム（ＰＥＳ）として、圧縮ディジタルビデオ信号と圧縮ディジタルオーディオ信号とを多重化して出力する。ＭＵＸ／ＤＥＭＵＸ２４から出力されたＰＥＳは、記録／再生部２６に供給される。
【００４４】
一方、ＤＶ処理部２５に供給されたディジタルビデオ信号は、ＤＶフォーマットに従い、ＤＣＴを用いたフレーム内圧縮により圧縮符号化される。そして、圧縮されたディジタルビデオ信号は、ＤＶ処理部２５に供給されたディジタルオーディオ信号と共に、ＤＶフォーマットのストリームにマッピングされて出力される。ＤＶ処理部２５から出力されたストリームは、記録／再生部２６に供給される。
【００４５】
記録／再生部２６は、ＤＶフォーマットおよびＨＤ２フォーマットのうち、例えばユーザインターフェイス７１により指定されたフォーマットに対応したデータを選択的に受け取る。これに限らず、上述したＭＰＥＧ処理部２０およびＤＶ処理部２５のうち、指定されたフォーマットに対応する方の機能だけを有効としておくようにしてもよい。記録／再生部２６は、受け取ったデータに対して所定にエラー訂正符号化処理を施し、さらに記録符号化し、磁気テープ２８への記録に適した記録信号を生成する。記録／再生部２６から出力された記録信号は、回転ヘッド２７に供給される。
【００４６】
磁気テープ２８への記録は、回転ヘッド２７が磁気テープ２８に対して斜めにトラックを形成する、ヘリカルスキャン方式によって行われる。図４は、磁気テープ２８に対する一例の記録フォーマットを概略的に示す。図４Ａに例示されるように、磁気テープ２８に対して、トラック１００、１００、・・・が斜めに形成され、１フレームのディジタルビデオ信号が複数のトラック１００、１００、・・・を用いて記録される。図４Ａにそれぞれ矢印で示されるように、磁気テープ２８が図の左側から右側に向けて走行され、回転ヘッド２７は、磁気テープ２８を図の下方から上方に向けてトレースする。
【００４７】
トラック１００のフォーマットは、現行のＤＶフォーマットに基づき、図４Ｂに例示されるように、回転ヘッド２７によるトレースの先頭側から、ＩＴＩ(Insert and Track Information)エリア１０４、オーディオエリア１０３、ビデオエリアお１０２よびサブコードエリア１０１の順にデータが配置される。図示しないが、各エリア間には、エディットギャップが設けられる。ＩＴＩエリア１０４は、システムデータが記録される。ビデオエリア１０２は、ビデオフォーマットがＨＤ１フォーマットまたはＤＶフォーマットであれば、先頭側にＡＰ２エリアが設けられる。ＨＤ２フォーマットの場合、ＡＰ２エリアは、設けられない。
【００４８】
図５は、ＩＴＩエリア１０４の一例の構成を示す。ＩＴＩエリア１０４には、トラック１００の先頭側から、スタートシンク、トラックピッチに関する情報（ＴＰ１、ＴＰ２）、トラックのサーボに関する情報（ＰＦ）、トラックのデータ構造を規定する情報（ＡＰＴ）およびＡＰＴにより規定されるシステムデータが格納される。ＨＤ２フォーマットで記録を行う場合、ＡＰＴに値"０１０ｂ"が記録され、ＤＶフォーマットで記録を行う場合、あるいは、ＨＤ１フォーマットで記録されたトラックは、ＡＰＴに値"０００ｂ"が記録される。
【００４９】
上述したＡＰ２は、ビデオエリア１０２のデータ構造を規定するものであり、ＤＶフォーマットで記録を行う場合、ＡＰ２に値０００ｂが記録される。また、ＨＤ１フォーマットで記録されたトラックは、ＡＰ２に値００１ｂが記録されている。
【００５０】
再生時の動作について説明する。ユーザが、このビデオカメラ装置１の動作を再生動作に切り替えるために、ユーザインターフェイス７１を操作する。操作に応じた制御信号がＣＰＵ５０に供給され、ＣＰＵ５０により操作画面など所定の表示画面を表示させる表示制御信号が生成されると共に、ビデオカメラ装置１の各部に、動作モードが再生モードに切り替えられたことが通知される。ＣＰＵ５３は、この通知を受け、回転ヘッド２７の回転や磁気テープ２８の走行を駆動するメカ機構を再生時の動作に対応するように切り替えると共に、信号処理系の動作を再生モードに対応するように切り替える。
【００５１】
再生時は、回転ヘッド２７により磁気テープ２８のトラック１００、１００、・・・がＩＴＩエリア１０４側からトレースされ、ＩＴＩエリア１０４に格納されたＡＰＴと、ビデオエリア１０２に格納されたＡＰ２の値とに基づき、再生するディジタルビデオ信号のフォーマットが判定される。先ず、ＡＰＴの値に基づき、再生するディジタルビデオ信号のフォーマットがＨＤ２フォーマットであるか、ＤＶフォーマットまたはＨＤ１フォーマットであるかが判定される。ＤＶフォーマットまたはＨＤ１フォーマットであると判定されると、ビデオエリア１０２の末尾側に記録されるＡＰ２の値に基づき、ＤＶフォーマットおよびＨＤ１フォーマットの何れであるかが判定される。
【００５２】
再生時の処理は、記録時とは逆の処理となる。例えば、回転ヘッド２７が磁気テープ２８を所定にトレースして得られた再生信号は、記録／再生部２６に供給される。記録／再生部２６は、供給されたデータを所定に復調して再生ディジタル信号を得、この再生ディジタル信号に対してエラー訂正符号の復号化処理を行い、エラー訂正する。エラー訂正された再生ディジタル信号は、一旦、ＤＶ処理部２５に供給される。
【００５３】
ＤＶ処理部２５は、供給された再生ディジタル信号に対して、上述したフォーマット判定処理がなされる。その結果、再生するディジタルビデオ信号のフォーマットがＤＶフォーマットまたはＨＤ１フォーマットの何れかであれば、供給された再生ディジタル信号をＤＶ処理部２５内で処理し、再生ディジタルビデオ信号および再生ディジタルオーディオ信号を得る。この再生ディジタルビデオ信号および再生ディジタルオーディオ信号は、ベースバンド信号処理回路１４に供給される。
【００５４】
再生ディジタル信号に対するフォーマット判定処理の結果、再生するディジタルビデオ信号のフォーマットがＨＤ２フォーマットであれば、当該再生ディジタル信号は、ＭＰＥＧ処理部２０に供給され、ＭＵＸ／ＤＥＭＵＸ２４に入力される。
【００５５】
なお、ここでは、再生するディジタルビデオ信号のフォーマットを自動的に判定する場合について説明したが、これはこの例に限られず、フォーマットをユーザインターフェイス７１からユーザが手動で入力することもできる。
【００５６】
ＭＵＸ／ＤＥＭＵＸ２４は、上述したように再生時にはデマルチプレクサとして機能し、供給された再生ディジタル信号のパケットから、ヘッダ情報に基づきデータを取り出し、多重化されて記録されたディジタルビデオ信号やディジタルオーディオ信号を分離し、元のストリームを復元する。復元されたディジタルビデオ信号は、ＭＰＥＧデコーダ（ＤＥＣ）２２に供給され、圧縮符号を復号化されベースバンドの再生ディジタルビデオ信号とされる。同様に、復元されたディジタルオーディオ信号は、オーディオコーデック部２３に供給され、圧縮符号を復号化されベースバンドの再生ディジタルオーディオ信号とされる。これら再生ディジタルビデオ信号および再生ディジタルオーディオ信号は、ベースバンド信号処理回路１４に供給される。
【００５７】
ベースバンド信号処理回路１４は、供給された再生ディジタルビデオ信号に対して、所定の信号処理が施される。例えば、ベースバンド信号処理回路１４は、記録時と同様にして、再生ディジタルビデオ信号に対して、当該再生ディジタルビデオ信号のフォーマット（ＨＤ２フォーマット、ＤＶフォーマット、ＨＤ１フォーマット）に対応した画サイズ変換処理やカラーシステム変換処理、フレーム処理などが行われる。また、ディジタルビデオ信号を、撮像画像のモニタなどに用いられる表示パネル３４、外部出力端子であるＤ４端子３１やＳＤ端子３９に供給するために、所定に画サイズ変換や各種処理が施される。
【００５８】
再生ディジタルオーディオ信号に対しても、外部出力などに適したように所定に処理される。再生ディジタルオーディオ信号は、ベースバンド信号処理回路１４で所定に処理されると、Ａ／Ｄ変換およびＤ／Ａ変換回路１８に供給され、アナログオーディオ信号に変換される。このアナログオーディオ信号は、オーディオ信号処理回路１７を介してオーディオ入出力端子１６に導出される。
【００５９】
ベースバンド信号処理回路１４に対して、ＯＳＤ(On Screen Display)部４１が接続される。ＯＳＤ部４１は、ＣＰＵ５０の命令に基づき、例えばこのビデオカメラ装置１に対して種々の設定を行うメニュー画面や、入力オーディオレベルや装置状態をチェックするためのステータス画面といった、撮像画像信号以外の画像信号を生成する。また、ＯＳＤ部４１は、メニュー画面やステータス画面などにカーソルを表示すための画像信号も生成する。これら各種画面を描画するためのデータは、バス６０に接続されるＲＯＭ６１に予め記憶される。また、表示項目などをユーザが設定可能である場合には、例えば設定中のデータがＲＡＭ６２に記憶される。これに限らず、外部メモリ６４をメモリインターフェイス６３に装填し、外部メモリ６４に記憶されたデータを読み出してＯＳＤ表示のために用いてもよい。ユーザが設定したデータを外部メモリ６４に記憶させることもできる。
【００６０】
ＯＳＤ部４１で生成されたＯＳＤ用画像信号は、ベースバンド信号処理回路１４に供給される。ＯＳＤ用画像信号は、ベースバンド信号処理回路１４において、例えば撮像信号処理回路１３から供給された撮像画像に基づくディジタルビデオ信号と合成される。ＯＳＤ用画像信号が合成されたディジタルビデオ信号は、ユーザインターフェイスに対する指定に応じて、表示パネル３４やＥＶＦ３７に表示される。Ｄ４端子３１やＳＤ入出力端子に導出するようにしてもよい。
【００６１】
なお、このビデオカメラ装置１は、例えばコンピュータ装置と通信可能な通信インターフェイスを有する。この図３の例では、ビデオカメラ装置１は、ＩＥＥＥ(Institute Electrical and Electronics Engineers)１３９４に対応した１３９４Ｉ／Ｆ４０を有し、外部のコンピュータ装置などとディジタルビデオ信号およびディジタルオーディオ信号のやりとりを行うことができる。１３９４Ｉ／Ｆ４０に所定のケーブルが接続されているか否か、また、１３９４Ｉ／Ｆ４０を介してデータ通信が行われているか否かなどは、ＣＰＵ５３に通知される。
【００６２】
例えば、ＭＵＸ／ＤＥＭＵＸ２４やＤＶ処理部２５からディジタルビデオ信号およびディジタルオーディオ信号を取り出して１３９４Ｉ／Ｆ４０に供給し、ディジタルビデオ信号およびディジタルオーディオ信号をこれらコンピュータ装置が対応可能な所定のフォーマットにマッピングして、ＩＥＥＥ１３９４のプロトコルに従い送信する。また、コンピュータ装置から所定のフォーマットで、ＩＥＥＥ１３９４のプロトコルに基づき送信されたディジタルビデオ信号およびディジタルオーディオ信号を、１３９４Ｉ／Ｆ４０で受信し、ＭＵＸ／ＤＥＭＵＸ２４やＤＶ処理部２５に供給することもできる。
【００６３】
この外部のコンピュータ装置とのディジタルビデオ信号およびディジタルオーディオ信号の通信処理は、ビデオカメラ装置１の記録時および再生時の何れの場合でも、可能である。
【００６４】
電源７０はビデオカメラ装置１を駆動するためのものであり、ＣＰＵ５０の制御により電源モードに応じた電力供給をビデオカメラ装置１に対して行う。電源モードとしては、カメラモードおよびビデオモードの２つのモードが備えられている。
【００６５】
（２）ステータスチェック機能
ステータスチェック機能はビデオカメラ装置１の設定状態を表示する機能である。ステータスチェック機能のオン／オフは、ＵＩ７１のキーであるステータスチェックキー１６５によりなされる。具体的には、ステータスチェックキー１６５を押すとステータスチェック機能がオンになり、ビデオカメラ装置１の設定状態を一覧表示するステータスチェック画面に切り替わる。なお、ステータスチェック画面は、ＵＩ７１のステータスチェックキー１６５の操作に応じたＣＰＵ５０の命令に基づきＯＳＤ部４１で生成されたＯＳＤ用画像信号により表示される。ここでは、ステータスチェック機能のオン／オフをハードキーであるステータスチェックキー１６により行う場合を例として示すが、これ以外の操作部によりステータスチェック機能のオン／オフを行うようにしてもよい。例えば、表示パネル３４がタッチパネルを備える場合には、表示パネル３４におけるタッチパネル操作によりステータスチェック機能のオン／オフを行うようにしてもよい。
【００６６】
また、ステータスチェック画面が表示されている状態でステータスチェックキー１６５を押すと、ステータスチェック機能がオフしてステータスチェック画面が終了し、例えばノーマル画面に切り替わる。なお、ステータスチェック画面間の切り替えは、例えばジョグダイヤル１６６を適宜操作することによりなされる。なお、表示パネル３４にタッチパネルが備えられている場合には、タッチパネルの操作によりステータスチェック画面間の切り替えを行うようにしてもよい。
【００６７】
また、ステータスチェック画面としては、オーディオレベル表示画面、カスタムプリセット設定表示画面、出力設定表示画面およびアサイン設定表示画面など複数の表示画面がある。ステータスチェック画面の構成は、ビデオカメラ装置１のモードによって異なる。電源モードがカメラモードの場合には、例えばステータスチェック画面としてオーディオレベル表示画面、カスタムプリセット設定表示画面、出力設定表示画面およびアサイン設定表示画面が表示可能であり、電源モードがビデオモードの場合には、例えばステータスチェック画面としてオーディオレベル表示画面、出力設定画面およびアサイン設定画面が表示可能である。また、ＨＤフォーマットおよびＤＶフォーマットなどの記録フォーマットに応じてステータスチェック画面の表示内容を変更するようにしてもよい。
【００６８】
オーディオレベル表示画面はオーディオに関連する設定状態を表示する画面であり、例えば、外部マイクからの入力の有無、ビデオカメラ装置１に設けられたマイクからの入力の有無、風音低減機能のオン／オフ、ステレオおよびモノラルなどの音声選択に関する情報が一覧表示される。
【００６９】
カスタムプリセット設定表示画面は、ユーザにより予め登録された設定状態を表示する画面であり、ユーザにより登録された項目が一覧表示される。出力設定表示画面は、ビデオカメラ装置１の接続状態を表示する画面であり、例えば外部出力端子に対する接続の有無などに関する情報が一覧表示される。アサイン設定表示画面は、図示を省略したアサインボタンと関連づけられた機能を表示する画面である。
【００７０】
図６は、オーディオレベル表示画面の一例を示す略線図である。オーディオレベル表示画面は、ページタイトル表示部２０１、オーディオレベルメータ２０２、設定項目情報表示欄２０３、設定情報表示欄２０４、ページ切り替えマーク２０５ａ，２０５ｂ、画面数表示部２０６、フォーマット情報表示部２０７およびガイド２０８を備える。
【００７１】
ページタイトル表示部２０１には、ステータスチェック画面のタイトルが表示され、例えばオーディオレベル表示画面を表示している場合には、ページタイトルとしてオーディオが表示される。オーディオ表示レベルメータ２０２は、例えばマイクロフォン１５またはオーディオ入出力端子１６に接続された外部マイクロフォンから供給されるオーディオデータのレベルを表示する。上述したように、ＣＰＵ５３がＡ／Ｄ変換およびＤ／Ａ変換回路１８からオーディオレベルデータを取得し、ＣＰＵ５３が取得したオーディオレベルデータをＣＰＵ５０へ供給する。ＣＰＵ５０は、この供給されたオーディオレベルデータに基づきオーディオレベルメータ２０２を表示する。
【００７２】
設定項目情報表示欄２０３には、オーディオに関連する設定状態を示す設定項目が一覧表示される。１ページに表示可能な最大項目数は、表示パネル３４の画面の大きさなどを考慮して設定され、例えば５項目に設定される。この設定項目としては、例えば、使用可能な入力端子が表示される、例えばオーディオ入出力端子１６にライン入力が接続されているか否かを表示することができるＩＮＰＵＴ、ＭＩＣおよびＬＩＮＥのいずれの入力をオーディオレベルメータに表示しているかを示すＭＩＣ／ＬＩＮＥ  ＬＶＬ、ＭＩＣ／ＬＩＮＥの選択の状態を示すＡＵＤＩＯ  ＳＥＬＥＣＴ、風音低減の機能のＯＮ／ＯＦＦを示すＷＩＮＤ、マルチサウンドの設定状態を示すＭＵＬＴＩ−ＳＯＵＮＤなどがある。これらの情報は、例えばＣＰＵ５０に対する設定情報として取得することができる。設定情報表示欄２０４には、上述の設定項目に応じた設定情報が表示される。
【００７３】
ページ切り替えマーク２０５ａ，２０５ｂは、オーディオに関連する設定状態を１画面内に表示できない場合に表示されるマークであり、ページ切り替えマーク２０５ａは前画面があることをユーザに促すマークであり、ページ切り替えマーク２０５ｂは次画面があることをユーザに促すマークである。
【００７４】
画面数表示部２０６は、表示パネル３４に表示されているステータスチェック画面が全てのステータスチェック画面のうちの何番目に位置しているかを示すものであり、表示されている分数の分子がステータスチェック画面の総数を示し、分母が総画面内での表示画面の番号を示す。
【００７５】
フォーマット情報表示部２０７にはオーディオフォーマットに関する情報が表示され、この例では量子化ビット数に関する情報が表示されている。フォーマット情報表示部２０７に量子化ビット数が表示される場合には、例えば量子化ビット数が１２ビットのときには「１２ｂ」が表示され、量子化ビット数が１６ビットのときには「１６ｂ」が表示される。ガイド２０８には、ユーザの操作を導くための情報が表示される。これらの情報も上述したように、ＣＰＵ５０に対する設定情報として取得することができる。
【００７６】
図７は、カスタムプリセット設定表示画面の一例を示す略線図である。カスタムプリセット設定表示画面は、ページタイトル表示部２１１、設定項目情報表示欄２１２、設定情報表示欄２１３、ページ切り替えマーク２１４ａ，２１４ｂ、画面数表示部２１５およびガイド２１６を備える。ページタイトル表示部２１１、ページ切り替えマーク２１４ａ，２１４ｂ、画面数表示部２１５、ガイド２１６はそれぞれ、上述のオーディオレベル表示画面に備えられたページタイトル表示部２０１、ページ切り替えマーク２０５ａ，２０５ｂ、画面数表示部２０６およびガイド２０８と略同様であるので説明を省略する。
【００７７】
設定項目情報表示欄２１２には、ユーザにより予め登録された設定状態が一覧表示される。１ページに表示可能な最大項目数は、表示パネル３４の画面の大きさなどを考慮して設定され、例えば７項目に設定される。デジタルエフェクトに関する設定項目としては、例えば、色の濃さ、シャープネス、スキントーン、ＡＥシフト、ＡＧＣリミット、ＷＢシフトなどがある。設定値情報表示欄２１４には、上述の設定項目に応じた設定情報が表示される。これらの設定情報は、例えばＣＰＵ５０に備えられたレジスタに格納されている。なお、オーディオおよびピクチャープロファイル等の一部の設定に対しては有効な設定を示すアイコンも表示するようにしてもよい。
【００７８】
図８は、ステータスチェック画面の画面切り替え操作の一例について説明するための略線図である。まず、各種画面が表示された状態においてステータスチェックキー（図中、ＳＣキー）１６５を押すと、ステータスチェック画面（図中、ＳＣ画面）１が表示される。なお、オーディオに関連する設定情報の確認を優先する場合などには、ステータスチェックキー１６５を押すと、まずオーディオレベル表示画面がステータスチェック画面１として表示されようにすることが好ましい。
【００７９】
そして、ジョグダイヤル１６６を例えば下方向である第１の方向に回転させると、ステータスチェック画面２，３・・・Ｎが順次表示される。その後、最終画面であるステータスチェック画面Ｎが表示された状態においてジョグダイヤル１６６をさらに第１の方向とに回転すると、ステータスチェック画面１が再度表示される。
【００８０】
また、オーディオまたはカスタムプリセットなどに関する各設定状態を１つのステータスチェック画面内に表示できない場合には、複数のステータスチェック画面に分けて表示することも可能である。この場合のステータスチェック画面間の切り替えも、ジョグダイヤル１６６を所定方向に回転することにより行われる。例えば、図８に示すように、ステータスチェック画面２をステータスチェック画面２−１，２−２に分けて表示する場合には、ジョグダイヤル１６６を例えば下方向に回転すると、ステータスチェック画面１，２−１，２−２，３・・・ｎが順次表示される。
【００８１】
また、ステータスチェック画面が表示されている状態でステータスチェックキー１６５を押すと、ステータスチェック画面から抜け出すことができ、例えば、電源を投入したときに最初に表示されるノーマル画面に切り替わる。なお、ステータスチェック画面を抜け出したときにどのステータスチェック画面が表示されていたかを例えばメモリに記憶しておき、次にステータスチェックキー１６５が押されたときに、このステータスチェック画面から表示されるようにしてもよい。
【００８２】
（３）メニュー操作性
図９は、メニュー画面の階層を示す略線図である。図９Ａに示すように、インデックス階層２３１にはインデックス項目がアイコン表示され、このアイコンとしては直感的に分かりやいものが表示され、例えばインデックス項目がカメラ設定であればカメラを象ったアイコンが表示される。インデックス階層２３１にて適宜インデックス項目を選択して決定すると、図９Ｂに示すように第１のメイン階層２３２が表示される。第１のメイン階層２３２にて項目を適宜選択して決定すると、図９Ｃに示すように第２のメイン階層２３３が表示される。第２のメイン階層２３３は、例えば第１のメイン階層２３２の下の階層であることを示すために、第１のメイン階層２３２に重ねて表示される。図９Ｂでは、選択された項目（例えばホワイトバランス）に対応する表示（例えばオート）２３４が表示される。
【００８３】
図１０〜１２は、メニュー画面におけるスクロールバーの表示動作を説明するための略線図である。図１０〜１２に示すように、設定項目表示部２２１の左端には枠２２２が設けられ、この枠２２２内にはスクロールバー２２３が設けられている。枠２２２の長さは設定項目全体に対応しており、枠２２の長さは設定項目数の増減に応じて伸縮する。
【００８４】
図１０Ａは、全ての設定項目が表示画面内に収まる場合のスクロールバー２２３の一表示例を示す略線図である。全ての設定項目が表示画面に収まる場合には、スクロールバー２２３が枠２２２の上端から下端まで広がって表示される。なお、図１０Ａではスクロールバー２２３が枠２２２と略同一となっているので、両者が一体として図示されている。
【００８５】
図１０Ｂは、全ての設定項目が表示画面に収まらない場合のスクロールバー２２３の一表示例を示す略線図である。全ての設定項目が表示画面に収まらない場合には、スクロールバー２２３が縮小されて表示される。
【００８６】
次に、図１１および１２を参照しながら、全ての設定項目が表示画面に収まらない場合のスクロールバー２２３の表示についてより具体的に説明する。ここでは、設定項目数が１０であり、設定項目表示部２２１の表示項目数が７である場合を例として説明する。この場合、３項目が設定項目表示部２２１に表示できないことになる。図１１は、全ての設定項目が表示画面に収まらない場合のスクロールバー２２３の第１の表示例を説明するための略線図である。
【００８７】
枠２２２の長さは設定項目全体を表している。枠２２２内におけるスクロールバー２２３の位置は、設定項目全体における表示項目の位置に対応している。ここで、表示項目とは、設定項目表示部２２１内に表示されている設定項目全体のことを示す。
【００８８】
したがって、項目１〜７が表示項目として設定項目表示部２２１に表示されている場合には、表示項目（項目１〜７）は設定項目全体の最上部に位置しているため、図１１Ａに示すように、スクロールバー２２３はその上端と枠２２２の上端とが接するようにして表示される。
【００８９】
また、項目２〜８が表示項目として設定項目表示部２２１に表示されている場合には、表示項目（項目２〜９）は設定項目全体の中央より上寄りに位置しているため、図１１Ｂに示すように、スクロールバー２２３は枠２２２の中央より上寄りの位置に表示される。
【００９０】
さらに、設定項目４〜１０が表示項目として設定項目表示部２２１に表示されている場合には、表示項目（項目４〜１０）は設定項目全体の最下部に位置しているため、図１１Ｃに示すように、スクロールバー２２３はその下端と枠２２２の下端とが接するようにして表示される。
【００９１】
このようにスクロールバー２２３を表示することにより、設定項目全体における表示項目の位置を正確に表示することができる。また、枠２２２の長さに対するスクロールバー２２３の長さの比を、設定項目全体の長さに対する表示項目の長さに対応させてもよい。
【００９２】
図１２は、スクロールバー２２３の第２の表示例を説明するための略線図である。枠２２２の長さは設定項目全体を表している。枠２２２内におけるスクロールバー２２３の位置は、設定項目全体における表示項目のおおよその位置に対応している。例えば、設定項目全体を上方から下方に向けて２乃至３の複数のグループに分け、枠２２２内におけるスクロールバー２２３の位置を、設定項目全体における、カーソル２２４により選択されているグループの位置に対応させる。
【００９３】
例えば、項目１〜３からなる第１のグループ、項目４〜６からなる第２のグループおよび項目７〜１０からなる第３のグループに設定項目全体を分けたときには、カーソル２２４により項目１が選択されている場合には、項目１が属する第１のグループは設定項目全体の最上部に位置しているため、図１２Ａに示すようにスクロールバー２２３はその上端と枠２２２の上端とが接するようにして表示される。
【００９４】
また、カーソル２２４により項目７が選択されている場合には、項目７が属する第３のグループは設定項目全体の最下部に位置しているため、図１２Ｂに示すようにスクロールバー２２３はその下端と枠２２２の下端とが接するように表示される。
【００９５】
また、カーソル２２４により項目１０が選択されている場合には、項目１０が属する第３のグループは設定項目全体の最下部に位置しているため、図１２Ｃに示すようにスクロールバー２２３はその下端と枠２２２の下端とが接するように表示される。このようにスクロールバー２２３を表示することにより、カーソル２２４により選択されている設定項目が設定項目全体においておよそどの位置にあるのか表すことができる。
【００９６】
（４）カーソル動作のルール
図１３、図１４は、カーソルのループ動作の一例を示す略線図である。カーソル２２４が下方に向かうようにジョグダイヤル１６６を操作して、図１３Ａに示すように、設定項目表示部２２１の上から１項目に位置するカーソルを下方に向けて移動させると、図１３Ｂに示すように、カーソル２２４が表示項目表示部２２１の下から２項目の位置に到達したときに、設定項目表示部２２１内の表示項目のスクロールが上方へ向けて開始する。
【００９７】
その後、カーソル２２４が下方に向かうようにさらにジョグダイヤル１６６を操作すると、カーソル２２４は設定項目表示部２２１の下から２項目の位置に維持され設定項目表示部２２１内のスクロールは続けられる。そして、設定項目全体の残り１項目が設定項目表示部２２１内に入ったところで、図１３Ｃに示すように、カーソル２２４が設定項目表示部２２１の下から１項目の位置に移動する。さらにカーソル２２４を下方に移動させるようにジョグダイヤル１６６を操作すると、図１３Ｄに示すように、次のインデックスの設定項目が設定項目表示部２２１内に先頭から表示されるとともに、カーソル２２４が設定項目表示部２２１の上から１項目の位置に移動する。
【００９８】
また、図１４Ａに示すように設定項目表示部２２１内の上から１項目に位置している状態において、カーソル２２４が上方に向かうようにジョグダイヤル１６６を操作すると、図１４Ｂに示すように、前のインデックスの表示項目が最後の項目から表示されるとともに、カーソル２２４が設定項目表示部２２１の下から１項目の位置に移動する。そして、カーソル２２４が上方に向かうようにジョグダイヤル１６６を操作して、カーソル２２４を上方に移動すると、図１４Ｃに示すように、設定項目表示部２２１の２項目の位置に到達したとき、設定項目表示部２２１内の表示項目のスクロールが開始する。
【００９９】
その後、カーソル２２４が上方に向かうようにジョグダイヤル１６６をさらに操作すると、カーソル２２４は表示項目表示部２２１の上から２項目の位置に維持され設定項目表示部２２１内のスクロールは続けられる。そして、設定項目全体の残り１項目が設定項目表示部２２１に入ったとところで、図１４Ｄに示すように、カーソル２２４が設定項目表示部２２１の上から１項目の位置に移動する。
【０１００】
即時性や閲覧製を求めるものに関してはカーソル動作に制限を設けないでループをさせ、上位階層と下位階層とでのカーソル位置認識を明確にしたいものに関してはループをさせずに操作性をあげるようにことが好ましい。例えば、ユーザにカスタマイズさせるもの（例えば、カスタマイズメニュー）に対してはカーソルループをさせ、ユーザに階層を持って連続的に選択と決定を繰り返すもの（例えば、メニュー）に対してはカーソルループをさせずに選択項目と決定項目の位置認識を明確にするようにする。また、ループ動作させるか否かをユーザに選択させる構成としてもよい。さらに、このような選択をアプリケーション毎にユーザに選択させる構成としてもよい。
【０１０１】
図１５は、この一実施形態によるビデオカメラ装置１に備えられた最適ナビゲーション機能を説明するためのブロック図である。最適ナビゲーション機能とは、最適と思われる操作にユーザを導くための機能であり、この機能を用いることにより、例えば、カーソルを最適と思われるデフォルト位置に表示したり、アプリケーション実行のとき、アプリケーション内でのカーソル移動のときおよびアプリケーション間の移動のときなどに、最適と思われる位置にカーソルを自動的に移動させたりすることができる。
【０１０２】
ＲＯＭ６４には、予めお勧め項目選択の経路情報が記憶されている。この経路情報は、例えば、各項目の項目特定情報に対して、次に進むべき項目の項目特定情報を関連づけた情報である。したがって、項目特定情報を辿るようにしてカーソルを表示すれば、ユーザをお勧めの経路に従って導くことができる。ここで、項目特定情報は、例えば各項目毎に付されたＩＤ情報または各項目の位置情報などである。
【０１０３】
例えばメニュー画面のインデックス階層または各メイン階層などにて項目を選択および／または決定すると、ＣＰＵ５０が、この選択および／または決定された項目の項目特定情報に基づき、ＲＡＭ６２またはＲＯＭ６４に記憶された経路情報を検索して、次に進むべき項目の表示項目特定情報を読み出す。
【０１０４】
そして、ＣＰＵ５０は、上述の選択および／または決定がなされた項目に応じた画面を表示するためのデータをＲＯＭ６１から読み出して表示パネル３４にＯＳＤ表示するとともに、読み出された項目特定情報に応じた項目の位置にカーソルを表示する。
【０１０５】
図１６は、この一実施形態によるビデオカメラ装置１に備えられた学習機能を説明するためのブロック図である。学習機能とは、ユーザ操作によるメニューの移動パターンを学習して、ユーザを頻繁に選択および／または決定する項目などに導く機能であり、この機能を用いることにより、例えば、操作頻度に基づいて、カーソルを最適と思われるデフォルト位置に表示したり、アプリケーション実行、アプリケーション内でのカーソル移動およびアプリケーション間の移動のときなどに、最適と思われる位置にカーソルを自動的に移動させたりすることができる。
【０１０６】
学習機能では、例えば、移動前の階層にて選択および／または決定がなされた項目に関する項目特定情報と、移動後の階層にて選択および／または決定がなされた項目に関する項目特定情報と、移動前の階層にて選択および／または決定がなされた項目から移動後の階層にて選択および／または決定がなされた項目への移動がどのぐらいの頻度で行われたかを示す頻度情報とを関連づけて学習データテーブルに蓄積的に記憶する。この学習データテーブルは、ユーザ操作によるメニューの移動パターンを示すものであって、例えば、ビデオカメラ装置１の稼働中にはＲＡＭ６２に記憶され、電源オフなどの所定のタイミングでＲＯＭ６４に保存される。ここで、項目特定情報は、例えば各項目毎に付されたＩＤ情報または各項目の位置情報などであり、頻度情報は、例えば、ジョグダイヤル１６６による項目の選択および／または決定回数に関する情報である。
【０１０７】
まず、学習機能がオンされている場合の学習動作について説明する。例えばインデックス階層から第１のメイン階層などの階層間で順次項目を選択および／または決定すると、ＣＰＵ５０が、移動前の階層にて選択および／または決定された項目に関する項目特定情報と移動後の階層にて選択および／または決定された項目に関する項目特定情報とに基づき、学習データテーブルを検索してこの項目間の移動に関するデータ（移動前の階層にて選択および／または決定された項目の項目特定情報と、移動後の階層にて選択および／または決定された項目の項目特定情報とが関連づけられたデータ）がすでに記録されているか否かを判別する。
【０１０８】
そして、すでに記録されていると判別した場合には、この項目間の移動の頻度に関する頻度情報を更新し、まだ記録されていないと判別した場合には、移動前の階層にて選択および／または決定された項目に関する項目特定情報と、移動後の階層にて選択および／または決定された項目に関する項目特定情報と、この項目間の移動の頻度に関する頻度情報とを関連づけて記録する。
【０１０９】
次に、学習機能がオンされている場合のカーソル表示動作について説明する。例えばインデックス階層または各メイン階層などの階層にて項目を選択および／または決定すると、ＣＰＵ５０が、この選択および／または決定された項目の項目特定情報に基づき学習データテーブルを検索して、次階層の項目として最も選択および／または決定の頻度が高い項目に関する項目特定情報を読み出す。そして、上述の選択および／または決定がなされた項目に応じた画面を表示するためのデータをＲＯＭ６１から読み出して表示パネル３４にＯＳＤ表示するとともに、読み出された項目特定情報に基づき、次階層の項目として最も選択および／または決定の頻度が高い項目の位置にカーソルを移動する。
【０１１０】
次に、学習機能がオフされている場合のカーソル表示動作について説明する。例えばメイン階層または各メイン階層などにて項目を選択および／または決定すると、ＣＰＵ５０が、この選択および／または決定がなされた項目に関する項目特定情報に基づき、次階層の項目のうち予めデフォルトとして定められられた所定項目に関する項目特定情報をＲＯＭ６１から読み出す。そして、上述の選択および／または決定に応じた画面を表示するためのデータをＲＯＭ６１から読み出して表示パネル３４にＯＳＤ表示するとともに、読み出された項目特定情報に基づき、所定項目の位置にカーソルを移動する。
【０１１１】
図１７は、この一実施形態によるビデオカメラ装置１に備えられたカーソル移動カスタマイズ機能を説明するためのブロック図である。
【０１１２】
カーソル移動カスタマイズ機能は、カーソル移動ルールをユーザにカスタマイズさせる機能であり、この機能を用いることにより、例えば、所望のデフォルト位置にカーソルを表示したり、アプリケーション実行のとき、アプリケーション内でのカーソル移動のときおよびアプリケーション間の移動のときなどに所望の位置にカーソルを移動させることができる。
【０１１３】
カーソル移動カスタマイズ機能では、例えば、選択および／または決定がなされた項目の項目特定情報を選択および／または決定の順序に従って関連づけてカーソル移動記録テーブルに記憶する。したがって、このテーブルに記録された項目特定情報に基づきユーザがカスタマイズした経路を辿りながら操作を行うことができる。
【０１１４】
まず、カーソル移動ルールのカスタマイズ動作について説明する。カーソル移動ルールの記録を開始する操作がなされ、例えば、メニュー画面のインデックス階層または各メイン階層などにおいて項目を順次選択および／または決定すると、ＣＰＵ５０が、順次選択および／または決定がなされた項目の項目特定情報を、選択および／または決定の順序に従ってＲＡＭ６２またはＲＯＭ６４のカーソル移動記録テーブルに関連づけて記録する。そして、カーソル移動ルールを記録する操作が終了されると、項目特定情報の記録を終了する。なお、カーソル移動ルールの記録を開始および終了するための操作は、例えば、専用のハードキーによりなされる。
【０１１５】
次に、カスタマイズされたカーソル移動ルールに基づくカーソル移動の動作について説明する。カーソル移動カスタマイズ機能がオンされた状態で、メニュー画面のインデックス階層または各メイン階層などにて項目を選択および／または決定すると、ＣＰＵ５０が、選択および／または決定がなされた項目の項目特定情報に基づきＲＡＭ６２またはＲＯＭ６４に記憶されたカーソル移動記録テーブルを検索して、次に進むべき項目の項目特定情報を読み出す。そして、上述の選択および／または決定がなされた項目に応じた画面を表示するためのデータをＲＯＭ６１から読み出して表示パネル３４にＯＳＤ表示するとともに、読み出された項目特定情報に基づきカーソルを表示する。この動作を繰り替えすことにより、カスタマイズされたカーソル移動ルールに基づきカーソルを表示することができる。
【０１１６】
（５）メニューのカスタマイズ機能
図１８は、メニューのカスタマイズ機能を説明するためのブロック図である。メニューのカスタマイズ機能とは、メニュー画面にてユーザが設定したビデオカメラ装置１の設定状態をメモリに記憶しておく機能であり、この機能を用いることにより、ユーザは、所望の設定状態をメモリに記憶しておき、必要に応じてメモリから設定状態を読み出してビデオカメラ装置１を所望の設定状態にすることができる。
【０１１７】
まず、設定状態のカスタマイズ動作について説明する。まず、例えばメニュー画面の各階層の項目を適宜選択および／または決定して各種設定を行った後、カスタムプリセットキー１６２を押すと、ＣＰＵ５０が、カスタマイズする設定状態に対する名称を入力することをユーザに促す表示画面を表示パネル３４に表示する。そして、名称が入力され適宜操作がなされると、設定されたビデオカメラ装置１の設定状態をカスタマイズデータとしてＲＡＭ６２またはＲＯＭ６４に記憶する。
【０１１８】
次に、カスタマイズされた設定状態を読み出すための動作について説明する。まず、例えばＰメニューキー１６３が押されると、ＣＰＵ５０がＲＡＭ６２またはＲＯＭ６４に記憶されているカスタマイズデータの名称を表示パネル３４に表示する。そして、ジョグダイヤル１６６などを適宜操作して所望のカスタマイズデータの名称が選択・決定されると、ＣＰＵ５０が、選択・決定されたカスタマイズデータの名称に応じたカスタマイズデータをＲＡＭ６２またはＲＯＭ６４から読み出し、読み出したカスタマイズデータに基づきビデオカメラ装置１の各部を設定する。
【０１１９】
以上、この発明の一実施形態について具体的に説明したが、この発明は、上述の一実施形態に限定されるものではなく、この発明の技術的思想に基づく各種の変形が可能である。
【０１２０】
例えば、上述の一実施形態において挙げた数値はあくまでも例に過ぎず、必要に応じてこれと異なる数値を用いてもよい。
【図面の簡単な説明】
【０１２１】
【図１】この発明の一実施形態によるビデオカメラ装置の外観図である。
【図２】この発明の一実施形態によるビデオカメラ装置に備えられたバッテリーパネル面の一例を示す外観図である。
【図３】この発明の実施の形態に適用可能なビデオカメラ装置の一例の構成を示すブロック図である。
【図４】磁気テープに対する一例の記録フォーマットを概略的に示す略線図である。
【図５】ＩＴＩエリアの一例の構成を示す略線図である。
【図６】オーディオレベル表示画面の一例を示す略線図である。
【図７】カスタムプリセット設定表示画面の一例を示す略線図である。
【図８】ステータスチェック画面の画面切り替え操作の一例について説明するための略線図である。
【図９】メニュー画面の階層を示す略線図である。
【図１０】メニュー画面におけるスクロールバーの表示動作を説明するための略線図である。
【図１１】全ての設定項目が表示画面に収まらない場合のスクロールバーの第１の表示例を説明するための略線図である。
【図１２】スクロールバーの第２の表示例を説明するための略線図である。
【図１３】カーソルのループ動作の一例を示す略線図である。
【図１４】カーソルのループ動作の一例を示す略線図である。
【図１５】この一実施形態によるビデオカメラ装置に備えられた最適ナビゲーション機能を説明するためのブロック図である。
【図１６】この一実施形態によるビデオカメラ装置に備えられた学習機能を説明するためのブロック図である。
【図１７】この一実施形態によるビデオカメラ装置に備えられたカーソル移動カスタマイズ機能を説明するためのブロック図である。
【図１８】メニューのカスタマイズ機能を説明するためのブロック図である。
【符号の説明】
【０１２２】
１  ビデオカメラ装置
１５  マイクロフォン
１６  音声入出力端子
３４  表示パネル
４１  ＯＳＤ
５０  ＣＰＵ
６１，６４  ＲＯＭ
６２  ＲＡＭ
７０  電源
７１  ＵＩ
１６２  カスタムプリセットキー
１６３  Ｐメニュー
１６４  メニュー
１６５  ステータスチェックキー
【図１】
2006080634.tif 000003
【図２】
2006080634.tif 000004
【図３】
2006080634.tif 000005
【図４】
2006080634.tif 000006
【図５】
2006080634.tif 000007
【図６】
2006080634.tif 000008
【図７】
2006080634.tif 000009
【図８】
2006080634.tif 000010
【図９】
2006080634.tif 000011
【図１０】
2006080634.tif 000012
【図１１】
2006080634.tif 000013
【図１２】
2006080634.tif 000014
【図１３】
2006080634.tif 000015
【図１４】
2006080634.tif 000016
【図１５】
2006080634.tif 000017
【図１６】
2006080634.tif 000018
【図１７】
2006080634.tif 000019
【図１８】
2006080634.tif 000020